(57)【要約】      （修正有）【課題】大きい角度で屈折することが可能であり、穴径のより細いフレキシブルな中空チューブの裏壁を確実に清潔することが可能であり、ハンドルと握りチューブを強固に結合することが可能な清潔用ブラシを提供する。【解決手段】ハンドル２１と、粘着層２２と、握りチューブ２３と、から構成される。ハンドル２１は、ワイヤを捻って構成され、その上段に剛毛２１２が設けられており、その下段に粘着層２２が覆われており、粘着層２２により、ハンドル２１と握りチューブ２３を強固に粘着することが可能である。握りチューブ２３は、中空チューブであり、フレキシブルであり、大きい角度で屈折することが可能である。【選択図】図２
0003192401.tif 000002
【実用新案登録請求の範囲】
【請求項１】
ハンドルと、粘着層と、握りチューブと、から構成され、前記ハンドルは、ワイヤを捻って構成され、その上段に剛毛が設けられており、その下段に前記粘着層が覆われており、前記粘着層により、前記ハンドルと前記握りチューブを強固に粘着することが可能であり、前記握りチューブは、中空チューブであり、フレキシブルであり、大きい角度で屈折することが可能であることを特徴とする清潔用ブラシ。
【請求項２】
前記握りチューブは加熱されるとその直径が拡大し、加熱される前記握りチューブに前記ハンドルを挿入して、これらを冷却すると、前記握りチューブと前記ハンドルは強固に結合することを特徴とする、請求項１に記載の清潔用ブラシ。
【請求項３】
その底端に握り部が設けられており、前記握り部は、リング状、フック状、又は取っ手状を呈することを特徴とする、請求項１に記載の清潔用ブラシ。
【考案の詳細な説明】
【技術分野】
【０００１】
本考案は、清潔用ブラシに関し、特に、螺旋状を呈するハンドルにより、粘着層がハンドルと緊密に接合ことが可能であり、ひいてはハンドルと握りチューブを強固に結合することが可能な清潔用ブラシに関するものである。
【背景技術】
【０００２】
日常生活において、水分を補充するために、ティーポットや哺乳瓶などにフレキシブルなストローを差し込んで、ティーポットや哺乳瓶などの内部にある液体を吸い上げることが一般的である。しかし、フレキシブルなストローが長期間に利用されると、その裏壁にゴミ（例えばスケール、お茶の垢や食物の残りかすなど）が付着しやすい。このように、細菌が繁殖して衛生が降下するため、フレキシブルなストローの裏壁を定期的に清潔することが必要である。
【０００３】
各種類の中空チューブを清潔するために、清潔用ブラシ１が利用される。図１を参照する。図１は従来の清潔用ブラシを示す図である。このような清潔用ブラシ１は、ロッド１０が鉄ワイヤを捻じって構成され、その端辺に剛毛１１が設けられている。しかし、剛毛１１が鋭いため、中空チューブの裏壁にキズを付けしやすい。中空チューブの裏壁が傷付けられると、有毒物質が放出されて、人体がこの有毒物質を吸収する可能性がある。一方、ロッド１０は、鉄ワイヤを捻じって構成されるため、長期間に利用されると錆が生じて、それを廃棄することがやむ得ない。そしてロッド１０が硬いため、屈折しにくい。このように、屈折状の中空チューブを洗浄するときに、中空チューブの奥にロッド１０を挿入することができず、又はロッド１０が断裂しやすい。清潔用ブラシ１の剛毛１１がより太いため、穴径のより細い中空チューブの奥まで挿入することができず、清潔効果は良くない。
【考案の概要】
【考案が解決しようとする課題】
【０００４】
本考案の主な目的は、大きい角度で屈折することが可能であり、穴径のより細いフレキシブルな中空チューブの裏壁を確実に清潔することが可能な清潔用ブラシを提供することにある。
【０００５】
本考案の次の目的は、螺旋状を呈するハンドルにより、粘着層がハンドルと緊密に接合ことが可能であり、ひいてはハンドルと握りチューブを強固に結合することが可能な清潔用ブラシを提供することにある。
【０００６】
本考案の別の目的は、剛毛がナイロン糸を採用し、ハンドルがステンレスワイヤを採用することにより、剛毛が中空チューブの裏壁にキズを付けず、ハンドルが錆びない清潔用ブラシを提供することにある。
【課題を解決するための手段】
【０００７】
本考案の清潔用ブラシによると、ハンドルと、粘着層と、握りチューブと、から構成され、ハンドルは、ワイヤを捻って構成され、その上段に剛毛が設けられており、その下段に粘着層が覆われており、粘着層により、ハンドルと握りチューブを強固に粘着することが可能であり、握りチューブは、中空チューブであり、フレキシブルであり、大きい角度で屈折することが可能であることを特徴とする。
【０００８】
本考案の清潔用ブラシによると、握りチューブは加熱されるとその直径が拡大し、加熱される握りチューブにハンドルを挿入して、これらを冷却すると、握りチューブとハンドルは強固に結合することを特徴とする。
【０００９】
本考案の清潔用ブラシによると、その底端に握り部が設けられており、握り部は、リング状、フック状、又は取っ手状を呈することを特徴とする。
【考案の効果】
【００１０】
本考案の清潔用ブラシによれば、次のような効果がある。
（１）大きい角度で屈折することが可能であり、穴径のより細いフレキシブルな中空チューブの裏壁を確実に清潔することが可能である。
【００１１】
（２）螺旋状を呈するハンドルにより、粘着層がハンドルと緊密に接合ことが可能であり、ひいてはハンドルと握りチューブを強固に結合することが可能である。
【００１２】
（３）剛毛がナイロン糸を採用し、ハンドルがステンレスワイヤを採用することにより、剛毛が中空チューブの裏壁にキズを付けず、ハンドルが錆びない。
【図面の簡単な説明】
【００１３】
【図１】従来の清潔用ブラシを示す図である。
【図２】本考案の一実施例の組付け方法を示す図である。
【図２−Ａ】本考案の握りチューブが加熱されて膨張している状態を示す図である。
【図３】本考案のハンドルを示す斜視図である。
【図４】本考案の一実施例の組付け方法を示す断面図である。
【図５】本考案の一実施例を示す斜視図である。
【図６】本考案の一実施例が大きい角度で屈折している状態を示す図である。
【図７】本考案の一実施例によりホースを洗浄している状態を示す模式図である。
【図８】本考案の一実施例によりホースを洗浄する動作を示す図である。
【図９】本考案の一実施例により吸水チューブを洗浄する実施例を示す図である。
【図１０】本考案の一実施例によりチューブを洗浄する実施例を示す図である。
【図１１】本考案の握り部の実施例１を示す図である。
【図１２】本考案の握り部の実施例２を示す図である。
【図１３】本考案の握り部の実施例３を示す図である。
【考案を実施するための最良の形態】
【００１４】
以下、本考案の実施の形態を図面に基づいて説明する。
まず、図２を参照する。図２は本考案の一実施例の組付け方法を示す図である。本考案の一実施例は、ハンドル２１と、粘着層２２と、握りチューブ２３と、から構成される。ハンドル２１は、図３に示すように、酸及びアルカリが腐食できないステンレスワイヤ（ステンレス糸）を捻って構成され、その螺旋２１１の谷に粘着層２２が粘着しやすい。ハンドル２１の上段に剛毛２１２が設けられている。本実施例では、剛毛２１２が繊細で柔軟なナイロン糸を採用する。ハンドル２１のの下段に粘着層２２が覆われている。粘着層２２により、ハンドル２１と握りチューブ２３を強固に粘着することが可能である。握りチューブ２３は、中空チューブであり、フレキシブルであり、大きい角度で屈折することが可能である。このように、穴径のより細い中空チューブ、又は屈折されるチューブに、本考案の一実施例を確実に差し込んで清潔することが可能である。
【００１５】
図２及び図４を参照する。図４は本考案の一実施例の組付け方法を示す断面図である。ハンドル２１の下段の螺旋２１１に粘着層２２を塗布して、熱源により握りチューブ２３の上端を加熱して、図２-Ａに示すように、握りチューブ２３のチューブ直径２３１が拡大する。このとき、粘着層２２が塗布されているハンドル２１の下段を握りチューブ２３に差し込んで、冷却すると握りチューブ２３が収縮する。このように、図５に示すように、握りチューブ２３の上端にハンドル２１を強固に結合することが可能である。本考案の清潔用ブラシの組付け作業は、極めて簡易で迅速である。
【００１６】
図５を参照する。図５は本考案の一実施例を示す斜視図である。剛毛２１２は、酸及びアルカリが腐食できないステンレスワイヤ（ステンレス糸）に挟まれ、繊細で柔軟なナイロン糸を採用する。このように、清潔効果が良く、清潔対象物の裏壁にキズを付けない。ハンドル２１に握りチューブ２３を結合することにより、剛毛２１２の適用可能の範囲を拡大することが可能であり、例えば歯間ブラシに適用することが可能である。
【００１７】
図６を参照する。図６は本考案の一実施例が大きい角度で屈折している状態を示す図である。握りチューブ２３は、フレキシブルであり、大きい角度で屈折しても断裂しないため、各種類のホース又は屈折されるチューブの清潔に相応しい。
【００１８】
図７及び図８を参照する。図７は本考案の一実施例によりホースを洗浄している状態を示す模式図であり、図８は本考案の一実施例によりホースを洗浄する動作を示す図である。ストロー３はフレキシブルなチューブである。ストロー３により、ユーザは容器の底部にある液体を吸い上げること可能である。ストロー３が長期間に利用されると、ストロー３の裏壁３１にゴミが付着しやすいため、細菌が繁殖し、そしてストロー３の貫通孔３０の穴径がより小さいため、ブラシが太すぎ、又は剛毛が硬すぎる場合には、ストロー３を清潔することができない。しかし、本考案の清潔用ブラシ２を利用すると、ストロー３を清潔することが可能である。貫通孔３０から清潔用ブラシ２の先端にある剛毛２１２をストロー３に差し込んで、清潔用ブラシ２は、フレキシブルであるため、ストロー３の曲線に沿って裏壁３１を清潔することが可能である。このように、ストロー３の裏壁３１に清潔用ブラシ２の剛毛２１２を往復に摩擦することより、裏壁３１に付着するゴミを落とすことが可能である。
【００１９】
図９を参照する。図９は本考案の一実施例により吸水チューブを洗浄する実施例を示す図である。吸水チューブ４が液体を吸入することが可能であるため、患者の口腔内の液体を吸出すことが可能である。吸水チューブ４が長期間に利用されると、吸水チューブ４の環状裏壁４０にスケールが付着しやすいため、吸水チューブ４の吸引力が弱められる。この場合には、吸込み口４１から清潔用ブラシ２を吸水チューブ４に差し込んで、清潔用ブラシ２は、フレキシブルであるため、吸水チューブ４の曲線に沿って吸水チューブ４の奥まで挿入することが可能である。吸水チューブ４の環状裏壁４０に清潔用ブラシ２の剛毛２１２を往復に摩擦することより、環状裏壁４０に付着するスケールを落とすことが可能である。このように、吸水チューブ４の吸引力を保つことが可能である。
【００２０】
図１０を参照する。図１０は本考案の一実施例によりチューブを洗浄する実施例を示す図である。本考案の清潔用ブラシ２は、各種類の中空チューブの清潔に相応しく、特に、穴径のより小さい中空チューブの清潔に利用されると、清潔効果が更に良い。ティーポット５に茶葉を入れてお湯を注いだ後、お茶をティーポット口５０からコップなどに注ぐことが可能である。しかし、ティーポット５が長期間に利用されると、ティーポット口５０の裏壁面５０１にお茶の垢が付着しやすい。この場合には、ティーポット口５０から清潔用ブラシ２をティーポット口５０の奥に差し込んで、ティーポット口５０の裏壁面５０１に清潔用ブラシ２の剛毛２１２を往復に摩擦することより、裏壁面５０１に付着するお茶の垢を落とすことが可能である。このように、ティーポット口５０の衛生を保つことが可能である。
【００２１】
図１１から図１３を参照する。図１１は本考案の握り部の実施例１を示す図であり、図１２は本考案の握り部の実施例２を示す図であり、図１３は本考案の握り部の実施例３を示す図である。清潔用ブラシ２は、図１１に示すように、その底端に握り部２４が設けられており、リング状を呈し、握り部２４に貫通孔２４０が設けられているため、貫通孔２４０により清潔用ブラシ２を掛けることが可能である。清潔用ブラシ２は、図１２に示すように、その底端に握り部２４が設けられており、フック状を呈し、握り部２４にフック部２４１が設けられているため、フック部２４１により清潔用ブラシ２を掛けることが可能である。清潔用ブラシ２は、図１３に示すように、その底端に握り部２４が設けられており、取っ手状を呈し、握り部２４に取っ手部２４２が設けられているため、取っ手部２４２により清潔用ブラシ２を握り可能な範囲が拡大され、清潔用ブラシ２を安定的に握ることが可能である。
【産業上の利用可能性】
【００２２】
本考案は、ブラシに適用することができる。
【符号の説明】
【００２３】
１  清潔用ブラシ
２  清潔用ブラシ
３  ストロー
４  吸水チューブ
５  ティーポット
１０  ロッド
１１  剛毛
２１  ハンドル
２２  粘着層
２３  握りチューブ
２４  握り部
３０  貫通孔
３１  裏壁
４１  吸込み口
４０  環状裏壁
５０  ティーポット口
２１１  螺旋
２１２  剛毛
２３１  チューブ直径
２４０  貫通孔
２４１  フック部
２４２  取っ手部
５０１  裏壁面
【図１】
0003192401.tif 000003
【図２】
0003192401.tif 000004
【図２−Ａ】
0003192401.tif 000005
【図３】
0003192401.tif 000006
【図４】
0003192401.tif 000007
【図５】
0003192401.tif 000008
【図６】
0003192401.tif 000009
【図７】
0003192401.tif 000010
【図８】
0003192401.tif 000011
【図９】
0003192401.tif 000012
【図１０】
0003192401.tif 000013
【図１１】
0003192401.tif 000014
【図１２】
0003192401.tif 000015
【図１３】
0003192401.tif 000016